(57)【要約】【課題】不正行為が行われた際に、その不正行為の発生を容易に認識できるようにする。【解決手段】外枠２００に対して取り付けられる外枠取付部材９０と、前枠３００について外枠取付部材９０に対する施錠状態と解錠状態とを切り換える施錠機構（シリンダ錠装置２０，円筒状部材７０）とを有し、外枠取付部材９０は、外枠２００に対して、施錠機構をはさんだ一対の長孔状のビス孔９５において、施錠機構に向かう方向に変位可能に取り付けられており、前枠３００が施錠状態にある状態において前枠３００に加えられる開方向への力に対して、外枠２００・外枠取付部材９０・施錠機構・前枠３００及びそれらの間の各部位の強度のうち、外枠取付部材９０の前枠３００に向かう方向への塑性変形に係る強度が最も小さくされている。そのために、外枠取付部材９０は脆弱部（スリット９６等）を有している。【選択図】図８Ｂ
2008212251.tif 000002
【特許請求の範囲】
【請求項１】
遊技盤が取り付けられ外枠に対して開閉可能に設けられる前枠を前記外枠に対して施錠するための遊技機用施錠装置であって、
前記外枠に対して取り付けられる外枠取付部材と、
前記前枠について前記外枠取付部材に対する施錠状態と解錠状態とを切り換える施錠機構とを有し、
前記外枠取付部材は、前記外枠に対して、前記施錠機構をはさんだ複数の取付用部位において、前記施錠機構に向かう方向に変位可能に取り付けられており、
前記前枠が前記外枠取付部材に対して施錠状態にある状態において前記前枠に加えられる開方向への力に対して、前記外枠、前記外枠取付部材、前記施錠機構及び前記前枠並びにそれらの間の各部位の強度のうち、前記外枠取付部材の前記前枠に向かう方向への塑性変形に係る強度が最も小さくされている、
遊技機用施錠装置。
【請求項２】
請求項１に記載の遊技機用施錠装置であって、
前記外枠取付部材は、前記塑性変形に係る強度が小さくなるための脆弱部を有している、
遊技機用施錠装置。
【請求項３】
請求項２に記載の遊技機用施錠装置であって、
前記外枠取付部材は、前記脆弱部の少なくとも一部がスリットによって形成されている、
遊技機用施錠装置。
【発明の詳細な説明】
【技術分野】
【０００１】
本発明は、パチンコ機（弾球遊技機），スロットマシン（回胴遊技機）等の遊技機のための施錠装置に関するものである。
【背景技術】
【０００２】
一般的に、パチンコ機，スロットマシン等の遊技機は前枠及び外枠を有し、前枠は、外枠に対して開閉（回動）可能に取り付けられている。前枠には遊技盤等が取り付けられている。遊技盤の裏側には、制御装置等の各種の部品が設けられている。
そして、前枠の開閉作業は、パチンコホールの作業員等が行うようにされている。
【０００３】
ところで、パチンコホール等においては、所定の作業員等以外の者によって不正に遊技機の前枠が開かれて、制御装置（それに付随する記憶装置）に不正操作が行われる、という事態も生じている。
このため、前枠を外枠に対して施錠する施錠装置が必要とされている。
【０００４】
しかしながら、施錠装置が設けられている（施錠状態にある）にもかかわらず、強い力で無理に前枠を開こうとする不正行為も存在する。
それを防止しようとして、特許文献１には、施錠状態において前枠（前扉）に開方向に強い力が加えられた際にも変形しにくいようにされた外枠取付部材（受け金具）が開示されている。
しかしながら、それでも、それ以上の強い力を加えて不正行為を行う者も存在し得る。
【特許文献１】特開２００６−１２２２０５公報
【発明の開示】
【発明が解決しようとする課題】
【０００５】
本発明は、不正行為が発生した場合に、その不正行為の発生を容易に認識され得る遊技機用施錠装置を提供することを目的とする。
【課題を解決するための手段】
【０００６】
上記の目的を達成するために、請求項１に係る発明は、遊技盤が取り付けられ外枠に対して開閉可能に設けられる前枠を前記外枠に対して施錠するための遊技機用施錠装置であって、前記外枠に対して取り付けられる外枠取付部材と、前記前枠について前記外枠取付部材に対する施錠状態と解錠状態とを切り換える施錠機構とを有し、前記外枠取付部材は、前記外枠に対して、前記施錠機構をはさんだ複数の取付用部位において、前記施錠機構に向かう方向に変位可能に取り付けられており、前記前枠が前記外枠取付部材に対して施錠状態にある状態において前記前枠に加えられる開方向への力に対して、前記外枠、前記外枠取付部材、前記施錠機構及び前記前枠並びにそれらの間の各部位の強度のうち、前記外枠取付部材の前記前枠に向かう方向への塑性変形に係る強度が最も小さくされている、遊技機用施錠装置である。
【０００７】
「外枠取付部材に対する前枠の施錠状態」には、外枠取付部材に対して前枠が直接的な施錠状態とされる場合に限らず、間接的な施錠状態とされる場合（すなわち、他の部材を介して施錠状態とされる場合）も含まれる。当該他の部材のことを介在部材ということとする。
「前記外枠、前記外枠取付部材、前記施錠機構及び前記前枠並びにそれらの間の各部位」には、外枠・外枠取付部材・施錠機構・前枠の各部材自身、及び、それらのうちの相互の間（その取り付け部分）が含まれる。また、上述の介在部材が存在する場合には、その介在部材自身、及び、その介在部材と他の部材との間（その取り付け部分）が含まれる。
【０００８】
前枠について外枠取付部材に対する施錠状態と解錠状態とを切り換える施錠機構は、当該外枠取付部材（一の外枠取付部材）について複数設けられていてもよい。
【０００９】
また、外枠に対して複数の外枠取付部材が取り付けられており、各外枠取付部材について施錠機構が設けられていてもよい。
その場合においては、施錠機構をはさんだ複数の部位においてその施錠機構に対して向かう方向に変位可能に取り付けられている外枠取付部材（この外枠取付部材のことを当該外枠取付部材という）以外の外枠取付部材及びその外枠取付部材に係る施錠機構については、当該外枠取付部材の塑性変形に係る強度よりも大きな強度を有しても良いし、小さな強度を有していてもよい。
【００１０】
「外枠取付部材が、外枠に対して、施錠機構をはさんだ複数の取付用部位において、施錠機構に向かう方向に変位可能に取り付けられる」ための構造の一例として、外枠取付部材に形成された一対又は複数対の長孔（施錠機構をはさんでいる）に対して各々ビスが挿通され、その各ビスが外枠に対して螺合され固定されるものがある。
しかしながら、それに限らず、少なくとも一方は、別の構造でもよい。
【００１１】
上記発明の遊技機用施錠装置においては、外枠取付部材に対して前枠が施錠状態にある状態において、前枠に対して開方向に力が加えられる不正行為が行われた際には、外枠又は前枠が破損（又は塑性変形）したり、施錠機構が破損等（外枠等から外れることを含む）したり、外枠取付部材が破損（外枠から外れることを含む）したり、前述の介在部材（存在する場合）が破損等（前枠等から外れることを含む）する前に、外枠取付部材が前枠に向かう方向に塑性変形する。
すなわち、外枠取付部材に対する前枠の施錠状態が維持されたまま、複数の取付用部位が施錠機構に対して向かう方向に変位しつつ、外枠取付部材が前枠に向かう方向に塑性変形し、前枠は開方向に向かって移動し、その位置に留まる。
そして、その後に仮に前枠に対して閉方向に力が加えられても、塑性変形した外枠取付部材は一般的には完全には元の状態には戻らない。このため、前枠は閉方向に移動するとしても、一般的には閉位置までは戻らない。
このように、一般的に、前枠は、閉位置よりも開方向に移動した位置に留まることとなる。
このため、この発明の遊技機用施錠装置では、不正行為が行われたことが容易に認識され得ることとなる。
そして、ひいては、不正行為が行われることが防止されることとなる。
【００１２】
請求項２に係る発明は、請求項１に係る発明の遊技機用施錠装置であって、前記外枠取付部材は、前記塑性変形に係る強度が小さくなるための脆弱部を有している、遊技機用施錠装置である。
【００１３】
上記発明の遊技機用施錠装置では、脆弱部を有しているために、その脆弱部において塑性変形がより適切に発生し、請求項１に係る発明の作用効果がより確実に得られる。
【００１４】
請求項３に係る発明は、請求項２に係る発明の遊技機用施錠装置であって、前記外枠取付部材は、前記脆弱部の少なくとも一部がスリットによって形成されている、遊技機用施錠装置である。
【００１５】
上記発明の遊技機用施錠装置では、脆弱部の少なくとも一部がスリットによって形成されているために、請求項２に係る発明の作用効果がより具体的に得られる。
【発明の効果】
【００１６】
以上のように、本発明の遊技機用施錠装置では、不正行為が行われたことが容易に認識され得る。そして、ひいては、不正行為が行われることが防止され得ることとなる。
【発明を実施するための最良の形態】
【００１７】
次に、本発明の一実施形態について、図面に基づいて説明する。この実施形態は、本発明の施錠装置がパチンコ機（弾球遊技機）に適用されたものである。
【００１８】
図１に示すように、パチンコ機は、外枠２００及び前枠３００を有している。前枠３００は、外枠２００に対して、外枠２００の軸孔部（図示省略）に嵌合する回動軸３０２、及び、軸孔部３０４に嵌合する外枠２００の回動軸（図示省略）を中心に、閉位置と開位置との間を変位（回動）可能に取り付けられる。
【００１９】
前枠３００は、全体として縦長の長方形の枠状をしており、上下一対の横板部及び左右一対の縦板部（いずれも符号省略）を有している。
前枠３００には、遊技盤（図示省略）等が設けられる。遊技盤には、多数の釘，風車，各種の入賞口，センター役物等の各種の部品（いずれも図示省略）が取り付けられている。
遊技盤の裏側には、制御装置，パチンコ球供給装置等の各種の部品（いずれも図示省略）が取り付けられる。
【００２０】
外枠２００は、前枠３００に対応して、全体として縦長の長方形の枠状をしており、上下一対の横枠材及び左右一対の縦枠材（いずれも符号省略）を有している。
【００２１】
図１及び図２に示すように、施錠装置は、そのうちの前枠３００の側の部材として、フレーム１０（前枠取付部材（介在部材）），シリンダ錠装置２０，スライダ１１０，一対の係止部材１３０を有している。
また、図１に示すように、施錠装置は、そのうちの外枠２００の側の部材として、外枠取付部材９０，円筒状部材７０，一対の被係止部材１２０を有している。
【００２２】
図２に示すように、フレーム１０は、ほぼＬ字状の横断面を有し、鉛直方向に長く延びており、前枠３００（図１）の一の縦板部に固定されている。
フレーム１０（図２）には、孔部１２，孔部１４が形成されている。
【００２３】
図１に示すように、シリンダ錠装置２０は、円筒状部材７０に対応して設けられている。
図２〜図４に示すように、シリンダ錠装置２０は、シリンダ錠３０，固定用部材２２，カム４０，Ｄ状断面部材５０，ビス６０を有している。シリンダ錠３０には所定のキー２５が伴っている。
【００２４】
シリンダ錠３０は、前枠３００（図１）と直角にほぼ水平に延びる円柱状をなし、フレーム１０の孔部１２（図２）に挿通され、前枠３００（図１）の縦枠部に形成された孔部（図示省略）に嵌合されている。そして、図１に示すように、シリンダ錠３０の手前側の面は、前枠３００（その縦枠部）の手前側において露出している。
【００２５】
図４に示すように、シリンダ錠３０は、その手前側の面に差込部３２を有し、その奥側の端部から回動軸３５が突出している。そして、キー２５が差込部３２に差し込まれて回動操作されることによって、回動軸３５が回動する。
回動軸３５の先端部には一対の切欠部３６が形成されており、回動軸３５の先端部はほぼ長方形状断面を有している。
回動軸３５の中心軸線部分には、取付用ねじ穴部３８が形成されている。
【００２６】
図１及び図２に示すように、固定用部材２２は、フレーム１０に対して固定されている。図４に示すように、固定用部材２２には挿通孔部２３が形成されており、回動軸３５は挿通孔部２３を回動可能に挿通している。
【００２７】
図４に示すように、カム４０のほぼ中央部分には、取付孔部４２が形成されている。取付孔部４２は、回動軸３５の先端部の形状に対応してほぼ長方形状をしており、回動軸３５の先端部に対してカム４０の取付孔部４２が嵌合されている。こうして、カム４０は、回動軸３５に対して回り止めされている。
カム４０には、スライダ上昇用突出部４４及びガラスストッパ用突出部４６が形成されている。
【００２８】
図４に示すように、Ｄ状断面部材５０は、円柱形状をベースに、その長さ方向と平行な平面によってその一側部が切除され、ほぼＤ字状の断面を有する柱状に形成されている。すなわち、Ｄ状断面部材５０は、円弧状曲面部５２及び平面部５４を有している。
Ｄ状断面部材５０の中心軸線部分（上述したようにＤ状断面部材５０のベースとなる円柱形状における中心軸線部分）には、取付用挿通孔部５６が形成されている。
Ｄ状断面部材５０の平面部５４に対応して、カム４０の取付孔部４２の一縁部には、回り止め用突起部４３（図４（ｂ））が形成されている。
【００２９】
図４に示すように、ビス６０は、頭部６２及び軸部６６を有している。
頭部６２の上面６３（頭部６２を上方にしてビス６０を鉛直にした場合における上面）は、上方に向かって凸状に湾曲している。頭部６２の下面６４は平面状をしている。
軸部６６には、おねじが形成されている。
【００３０】
そして、図３Ａ及び図４に示すように、ビス６０（その軸部６６）がＤ状断面部材５０の取付用挿通孔部５６に挿通され、Ｄ状断面部材５０がカム４０（その回り止め用突起部４３）に対して回り止めされつつ当接した状態で、ビス６０（軸部６６）が、シリンダ錠３０の回動軸３５の取付用ねじ穴部３８に対して螺合され取り付けられている。
こうして、回動軸３５に対してカム４０，Ｄ状断面部材５０，ビス６０が取り付けられているとともに、回動軸３５とカム４０及びＤ状断面部材５０とは回り止めされている（相対的な回動が不可能とされている）。
ビス６０の頭部６２の上面６３は、回動軸３５の先端部に設けられ、回動軸３５の後端部の方に向かうにつれて徐々に大径になっている。
【００３１】
キー２５が差込部３２に差し込まれて回動操作されることによって、回動軸３５が回動し（このことは前述）、Ｄ状断面部材５０（シリンダ錠３０）は、平面部５４がほぼ鉛直になる施錠用角度位置（図６Ａ，図６Ｂ，図６Ｃ）と、平面部５４がＤ状断面部材５０のうちの下方においてほぼ水平になる解錠用角度位置（図６Ｄ，図６Ｅ）との間を変位する。
【００３２】
図１に示すように、外枠取付部材９０は、外枠２００（そのうちの一の縦枠材の内側面）に対して、取り付けられている。
図３Ａ及び図３Ｂに示すように、外枠取付部材９０は、上下方向に長く延びている。
外枠取付部材９０は、１枚の金属板が折り曲げられて形成されており、ベース板部９１，奥側板部９２，手前側板部９３を有している。
【００３３】
横断面において、ベース板部９１は、このパチンコ機の奥行方向に延びている。
奥側板部９２は、ベース板部９１の奥側において、このパチンコ機の幅方向に短く延びている。奥側板部９２はベース板部９１と同じ長さ（高さ）を有している。
手前側板部９３は、外枠取付部材９０のほぼ中央高さ位置において、このパチンコ機の幅方向に延びている。手前側板部９３の長さ（高さ）は、ベース板部９１及び奥側板部９２の長さ（高さ）と比較して、非常に短くされている。
【００３４】
ベース板部９１の上端部近傍及び下端部近傍には、ビス孔９５が形成されている。
すなわち、ベース板部９１のうちの上端部及びその近傍の部分がビス孔用板部９４とされており、そのビス孔用板部９４にビス孔９５が形成されている。同様に、ベース板部９１の下端部及びその近傍の部分もビス孔用板部９４とされており、そのビス孔用板部９４にビス孔９５が形成されている。
各ビス孔９５は、上下方向に長い長孔状をしている。
各ビス孔９５又は各ビス孔用板部９４が、本発明の取付用部位に該当する。
【００３５】
外枠取付部材９０は、各ビス１０５が各ビス孔９５を通して外枠２００に対して固定されることによって、外枠２００に対して取り付けられる。
上方のビス１０５は、上方のビス孔９５のうちの下側部分を通って外枠２００に対して螺合され固定される。このため、上方のビス孔９５（正確には、そのビス孔用板部９４）は、所定以上の力が加えられることによって、下方に変位することが可能である。
下方のビス１０５は、下方のビス孔９５のうちの上側部分を通って外枠２００に対して螺合され固定される。このため、同様に、下方のビス孔９５（正確には、そのビス孔用板部９４）は、所定以上の力が加えられることによって、上方に変位することが可能である。
【００３６】
外枠取付部材９０のうち、上方寄りの部分及び下方寄りの部分には、各々、スリット９６が形成されている。各スリット９６は、ベース板部９１及び奥側板部９２にまたがって形成されている。
すなわち、上方のスリット９６は、外枠取付部材９０（ベース板部９１及び奥側板部９２）の上端部近傍から高さ方向における中央側に向かって長く延びている。下方のスリット９６は、外枠取付部材９０（ベース板部９１及び奥側板部９２）の下端部近傍から高さ方向における中央側に向かって長く延びている。
【００３７】
また、ベース板部９１のうち、上下の両ビス孔用板部９４と手前側板部９３（正確には、ベース板部９１のうち手前側板部９３が形成されている部分）との間の部分には、各々、幅細部９７及び漸拡部９８が形成されている。
各幅細部９７の幅は、各ビス孔用板部９４の幅よりも細く形成されている。漸拡部９８は、幅細部９７から手前側板部９３が形成されている部分に向かうにつれて徐々に幅広になるように形成されている。
ベース板部９１のうち手前側板部９３が形成されている部分の幅は、ビス孔用板部９４の幅とほぼ同一とされている。
上述の一対のスリット９６及び一対の幅細部９７によって、本発明の脆弱部が形成されている。
【００３８】
図３Ａ〜図４に示すように、手前側板部９３には、取付用孔部９９が形成されている。取付用孔部９９は、手前側板部９３のうち、基端部（ベース板部９１との境界部分）から先端部にかけて形成されている。
【００３９】
円筒状部材７０には取付用溝部７１が形成されており、円筒状部材７０は、取付用溝部７１において取付用孔部９９に対して取り付けられている。
こうして、円筒状部材７０は、外枠２００（パチンコ機）（図１）の奥行方向に沿うように配設されており、図４に示すように、シリンダ錠装置２０（ビス６０等）に対向する側が開口し、他方が閉塞した円筒状をしている。
【００４０】
図４及び図６Ａ等に示すように、円筒状部材７０のうちの先端部の近傍には、円筒状部材７０の周壁部を一巡するように、溝部７２及び間隙部７３が形成されている。
溝部７２は、Ｄ状断面部材５０の円弧状曲面部５２に対応して形成されている。溝部７２においては、円筒状部材７０の周壁部のうちの外側部分が切除されてその周壁部が肉薄状とされている。
間隙部７３は、Ｄ状断面部材５０の平面部５４に対応して形成されている。間隙部７３は、円筒状部材７０の周壁部が完全に切除されて形成されている。
【００４１】
図３Ｂ，図４，図６Ａ等に示すように、円筒状部材７０の溝部７２及び間隙部７３には、リング状ばね８０が取り付けられている。
リング状ばね８０は、弾性を有する線状部材によって形成されており、直線部８３及び一対の弧状部８２を有し、全体としてほぼＣ字状をしている。
そして、直線部８３が間隙部７３に嵌合され、各弧状部８２が溝部７２に嵌合されている。
【００４２】
こうして、図６Ａ，図６Ｃ，図６Ｅに示すように、通常においては、リング状ばね８０は、円筒状部材７０の内部空間の一部を遮る遮断状態にある。すなわち、直線部８３が円筒状部材７０の内部空間の一部を横切っている。
そして、図６Ｂ，図６Ｄに示すように、リング状ばね８０が弾性的に変形することによって、直線部８３が変位して、円筒状部材７０の内部空間を遮らない非遮断状態になり得る。すなわち、直線部８３が円筒状部材７０の内部空間を横切らない状態となり得る。
【００４３】
以上のようにシリンダ錠装置２０及び円筒状部材７０によって構成される施錠機構が、第１の施錠機構である。この第１の施錠機構が、本発明における施錠機構に該当する。
【００４４】
図１に示すように、各係止部材１３０は、各被係止部材１２０に対応している。
図２及び図５に示すように、上下一対の係止部材１３０は、フレーム１０に対して、ピン１３１によって回動可能に取り付けられている。また、各係止部材１３０とスライダ１１０とは、ピン１３２によって回動可能に連結されている。こうして、スライダ１１０は、フレーム１０に対して、下降位置（図５（Ａ））と上昇位置（図５（Ｂ））との間をフレーム１０に沿って上下動可能に設けられている。
スライダ１１０とフレーム１０との間には引っ張りスプリング１１２が設けられており、スライダ１１０は常に下方に付勢されており、スライダ１１０は通常は下降位置（図５（Ａ））に位置している。
【００４５】
図５（Ａ）に示すように、スライダ１１０が下降位置に位置している状態で、各係止部材１３０は係止用位置に位置している。係止部材１３０は、係止用位置に位置する状態で、前枠３００の奥方向に向かってほぼ水平に延びている。
一方、図５（Ｂ）に示すように、スライダ１１０が上昇位置に位置している状態で、各係止部材１３０は非係止用位置に位置している。係止部材１３０は、非係止用位置に位置する状態で、前枠３００の奥方向に向かうにつれて徐々に下方に向かうように水平から傾斜している。
【００４６】
図５に示すように、係止部材１３０の先端部の側の部分は、くさび状部１３４とされている。係止部材１３０が係止用位置に位置する状態で、くさび状部１３４の上縁部は、係止部材１３０の先端部から基端部に向かうにつれて徐々に上方に向かうように水平から傾斜している。
係止部材１３０におけるくさび状部１３４よりも基端部の側には、凹状部１３５が形成されている。
くさび状部１３４と凹状部１３５との境界部分には、ストッパ部１３６が形成されている。ストッパ部１３６は、係止部材１３０が係止用位置に位置する状態（図５（Ａ））で、ほぼ鉛直に延びている。
【００４７】
図２に示すように、スライダ１１０には、カム４０に対応して、複合孔部１１３が形成されている。複合孔部１１３は、スライダ上昇用孔部１１４と、ガラスストッパ用挿通孔部１１６を有している。フレーム１０の孔部１４は、複合孔部１１３に対応している。
スライダ上昇用孔部１１４の上縁部は、上昇用被作用部１１５とされている。スライダ上昇用孔部１１４（上昇用被作用部１１５）は、カム４０のスライダ上昇用突出部４４に対応している。
ガラスストッパ用挿通孔部１１６は、カム４０のガラスストッパ用突出部４６に対応している。
【００４８】
そして、図２に示すように、シリンダ錠３０（Ｄ状断面部材５０）が施錠用角度状態にある状態において、カム４０のスライダ上昇用突出部４４はスライダ上昇用孔部１１４を挿通せず、ガラスストッパ用突出部４６がガラスストッパ用挿通孔部１１６及びフレーム１０の孔部１４を挿通して、ガラスストッパ４００と係合している。
なお、ガラスストッパ４００は、引っ張りスプリング４０２を介してフレーム１０に対して設けられており、前枠３００に対するガラス窓（図示省略）の施錠及び解錠を行うものである。
一方、図７Ｄに示すように、シリンダ錠３０（Ｄ状断面部材５０）が解錠用角度状態にある状態において、スライダ上昇用突出部４４はスライダ上昇用孔部１１４を挿通しており、上昇用被作用部１１５を上方に押圧し、スライダ１１０は、引っ張りスプリング１１２の付勢力に抗して、上昇位置に位置する。
【００４９】
すなわち、Ｄ状断面部材５０（シリンダ錠３０）が施錠用角度位置に位置する状態（図６Ａ，図６Ｃ）では、通常は、スライダ１１０は下降位置にあり、係止部材１３０は係止用位置に位置する（図７Ａ，図７Ｃ）。
Ｄ状断面部材５０（シリンダ錠３０）が施錠用角度位置に位置する状態（図６Ｂ）でも、スライダ１１０が上昇位置にあって係止部材１３０が非係止用位置に位置する場合もある（図７Ｂ参照）。
また、Ｄ状断面部材５０（シリンダ錠３０）が解錠用角度位置に位置する状態（図６Ｄ，図６Ｅ）では、スライダ１１０は上昇位置にあり、係止部材１３０は非係止用位置に位置する（図７Ｄ，図７Ｅ）。
そして、通常は、Ｄ状断面部材５０（シリンダ錠３０）が施錠用角度位置に位置し（図６Ａ，図６Ｃ）では、スライダ１１０は下降位置にあり、係止部材１３０は係止用位置に位置する（図７Ａ，図７Ｃ）。
【００５０】
以上のように係止部材１３０及び被係止部材１２０によって構成される施錠機構が、第２の施錠機構である。この第２の施錠機構は、本発明における施錠機構に該当しない。
【００５１】
図３Ａ及び図３Ｂ等に示すように、外枠取付部材９０には、一対のスリット９６及び一対の幅細部９７が形成されており、それによって、本発明の脆弱部が形成されている（このことは前述）。
こうして、図８Ａに示すように、前枠３００が外枠２００（外枠取付部材９０）に対して施錠状態にある状態において、前枠３００に加えられる開方向への力に対して、このパチンコ機の施錠装置のうち第１の施錠機構（シリンダ錠装置２０及び円筒状部材７０によって構成される施錠機構）に関する各部位の強度（破損や塑性変形に対する強度）のうち、外枠取付部材９０の前枠３００に向かう方向への塑性変形に係る強度が最も小さくされている。
【００５２】
すなわち、図８Ａ→図８Ｂに示すように、閉位置に位置して施錠状態の前枠３００に開方向への力が加えられた際に、外枠２００又は前枠３００が破損等したり、第１の施錠機構が破損等したり（解錠状態になることを含む）、外枠取付部材９０が破損したり、フレーム１０（図１）が破損等したりする（各部材が外枠２００，前枠３００等から外れることを含む）前に、上方／下方のビス孔９５が上方／下方のビス１０５に対して下方／上方に移動しつつ、外枠取付部材９０が前枠３００（閉位置から開方向へ移動した状態の前枠３００）に向かう方向に塑性変形するようにされている。
【００５３】
なお、第２の施錠機構（係止部材１３０及び被係止部材１２０によって構成される施錠機構）に関する各部位の強度は、上述した外枠取付部材９０の強度より大きくされている。しかし、その態様に限らず、第２の施錠機構に関する各部位の強度は、上述した外枠取付部材９０の強度より小さくされていてもよい。
【００５４】
次に、この施錠装置の施錠及び解錠に係る作用及び効果について説明する。
まず、第１の施錠機構について説明する。
前枠３００が外枠２００に対して開位置にある状態（図１参照）から、作業員によって、前枠３００が回動され、前枠３００が外枠２００に対して接近するようにされる。
こうして、図６Ａ→図６Ｂに示すように、ビス６０が円筒状部材７０に対して接近し、ビス６０が円筒状部材７０の内部空間に入り、ビス６０及びＤ状断面部材５０がその内部空間を前進しようとする。
それに伴って、ビス６０の頭部６２の上面６３がリング状ばね８０の直線部８３（それまで遮断状態にあった）を徐々に外方向（円筒状部材７０の中心軸線から離隔する方向）へと押圧し、リング状ばね８０が弾性的に変形し、直線部８３の位置が外方向に変位して、リング状ばね８０（直線部８３）は非遮断状態となっていく。
【００５５】
そして、図６Ｃに示すように、ビス６０の頭部６２がリング状ばね８０の直線部８３を越えることによって、Ｄ状断面部材５０の平面部５４がリング状ばね８０の直線部８３に対応することとなる。これによって、リング状ばね８０は、弾性的に、自然状態である遮断状態に戻る。
その状態で、ビス６０及びＤ状断面部材５０が円筒状部材７０の内部空間を後退しようとした際には、ビス６０の頭部６２の下面６４が遮断状態のリング状ばね８０の直線部８３に当接し、ビス６０及びＤ状断面部材５０等がそれ以上後退することが阻止され、ビス６０及びＤ状断面部材５０が円筒状部材７０から抜け出ることが阻止される。
このようにして、前枠３００は、外枠２００に対して閉位置に位置して施錠状態とされる。
【００５６】
前枠３００が外枠２００に対して施錠状態にある状態において、図６Ｃ→図６Ｄに示すように、前枠３００の外部からキー２５がシリンダ錠３０の差込部３２に差し込まれて回動操作され、回動軸３５とともにＤ状断面部材５０及びビス６０が回動し、Ｄ状断面部材５０が解錠用角度状態とされる。
そのようにＤ状断面部材５０が回動することによって、Ｄ状断面部材５０の平面部５４と円弧状曲面部５２との境界部分がリング状ばね８０の直線部８３を外方向に押圧し、リング状ばね８０（直線部８３）が弾性的に変形し、直線部８３の位置が外方向に変位して、リング状ばね８０（直線部８３）は非遮断状態となっていく。
そして、図６Ｄに示すように、Ｄ状断面部材５０が解錠用角度状態とされ、Ｄ状断面部材５０の円弧状曲面部５２がリング状ばね８０の直線部８３に対応する状態で、リング状ばね８０（直線部８３）は非遮断状態となる。
【００５７】
この状態においては、図６Ｄ→図６Ｅに示すように、ビス６０及びＤ状断面部材５０が円筒状部材７０の内部空間を後退可能であり、ビス６０及びＤ状断面部材５０が円筒状部材７０から抜け出ることが可能である。
このようにして、前枠３００は外枠２００に対して解錠状態とされる（図１も参照）。
図６Ｅに示すように、ビス６０及びＤ状断面部材５０が円筒状部材７０から抜け出た後においては、リング状ばね８０は、弾性的に、自然状態である遮断状態に戻る。
【００５８】
以上のように第１の施錠機構によって前枠３００が施錠及び解錠されるのと同時に、次のように、第２の施錠機構によっても前枠３００が施錠及び解錠される。
【００５９】
すなわち、前枠３００が開位置に位置する状態から外枠２００に対して接近されることによって（図１も参照）、図７Ａに示すように、フレーム１０及び係止部材１３０（係止用位置に位置する）が被係止部材１２０に対して接近する。
そして、図７Ａ→図７Ｂに示すように、係止部材１３０のくさび状部１３４の上縁部が被係止部材１２０（その下端部）に当接し、係止部材１３０がさらに前進することに伴って被係止部材１２０によってくさび状部１３４に対して下方への押圧力が加わる。そして、スライダ１１０を下方に付勢する引っ張りスプリング１１２の付勢力に抗して、スライダ１１０が上昇し、係止部材１３０は傾斜して、ほぼ非係止用位置となる（図７Ｂ）。
【００６０】
そして、図７Ｂ→図７Ｃに示すように、さらにフレーム１０が前進することによって、、係止部材１３０の凹状部１３５が被係止部材１２０に対応することになり、それによって、スライダ１１０を下方に付勢する引っ張りスプリング１１２によってスライダ１１０が下降位置に戻り、係止部材１３０が係止用位置に戻る。こうして、図７Ｃに示すように、係止部材１３０は被係止部材１２０に対して係止した状態となる。
その状態で、係止部材１３０が後退しようとしても、ストッパ部１３６が被係止部材１２０に当接し、係止部材１３０が後退することが阻止される。
こうして、第１の施錠機構とともに、第２の施錠機構によっても、前枠３００が外枠２００に対して施錠状態とされる。
【００６１】
前枠３００が外枠２００に対して施錠状態にある状態において、図７Ｃ→図７Ｄに示すように、前枠３００（図１も参照）の外部からキー２５がシリンダ錠３０の差込部３２に差し込まれて回動操作される。
これによって、回動軸３５とともにＤ状断面部材５０及びビス６０が回動してＤ状断面部材５０が解錠用角度状態とされる（このことは図６Ｃ→図６Ｄに基づいて前述）とともに、図７Ｃ→図７Ｄに示すように、カム４０も回動して、スライダ上昇用突出部４４がスライダ１１０のスライダ上昇用孔部１１４に入って、上昇用被作用部１１５を上方へ押圧する。
こうして、スライダ１１０を下方に付勢する引っ張りスプリング１１２の付勢力に抗して、スライダ１１０が上昇し、係止部材１３０は非係止用位置に位置することとなる（図７Ｄ）。
【００６２】
この状態においては、係止部材１３０は被係止部材１２０に対する係止が外れており、図７Ｄ→図７Ｅに示すように、係止部材１３０が後退可能となる。
このようにして、第１の施錠機構とともに、第２の施錠機構においても、前枠３００は外枠２００に対して解錠状態とされる。
【００６３】
上述のようにして解錠状態にある状態において、作業員によって前枠３００が外枠２００から離隔するようにされることによって、前枠３００は外枠２００から離隔して開位置に位置し得る（図１参照）。
【００６４】
以上のように、開位置に位置する前枠３００が外枠２００に対して接近するようにされて前枠３００が閉位置に位置づけられることによって、第１の施錠機構及び第２の施錠機構によって、前枠３００は外枠２００に対して施錠状態となる。
また、キー２５がシリンダ錠３０の差込部３２に差し込まれて回動されることによって、第１の施錠機構及び第２の施錠機構において、前枠３００は外枠２００に対して解錠状態となる。
【００６５】
すなわち、開位置に位置する前枠３００を閉位置に位置づけるという１つの動作によって、２つの施錠機構によって前枠３００が施錠されるとともに、施錠状態の前枠３００に対してキー２５を差込部３２に差し込んで回動させるという１つの動作によって、２つの施錠機構とも解錠状態とされる。
このように、この施錠装置では、施錠及び解錠が容易であるとともに、その施錠状態においては２つの施錠機構によって前枠３００が施錠されるため、閉位置に位置する前枠３００を無理に開こうとする不正行為をより適切に防止することができる。
【００６６】
次に、この施錠装置の作用及び効果について、図８Ａ〜図８Ｃに基づいて説明する。
前枠３００が外枠２００に対して施錠状態にある状態において、何者か（不正行為者）が大きな力で無理に前枠３００を開こうとした際について説明する。
図８Ａに示すように、通常は、前枠３００が外枠２００に対して施錠状態にある。すなわち、第１の施錠機構（シリンダ錠装置２０及び円筒状部材７０によって構成される施錠機構）が施錠状態にあり、第２の施錠機構（係止部材１３０及び被係止部材１２０によって構成される施錠機構）も施錠状態にある。
【００６７】
そして、図８Ａ→図８Ｂに示すように、不正行為者が大きな力で無理に前枠３００を開こうとすることによって、第２の施錠機構の被係止部材１２０又は係止部材１３０が破損（外枠２００又は前枠３００から外れることを含む）した後には、外枠取付部材９０が塑性変形する。
すなわち、外枠２００又は前枠３００が破損等したり、第１の施錠機構が破損等したり（解錠状態になることを含む）、外枠取付部材９０が破損したり、フレーム１０（図１）が破損等したりする（各部材が外枠２００，前枠３００等から外れることを含む）ことなく、第１の施錠機構の施錠状態が維持されつつ、外枠取付部材９０は、脆弱部（スリット９６が形成されている部分及び幅細部９７）を中心として、手前側板部９３が前枠３００（閉位置から開方向に移動した状態の前枠３００）に向かう方向に塑性変形する。
なお、その際、上方のビス孔９５は上方のビス１０５に対して下方に移動し（ビス１０５はビス孔９５に対して相対的に上方に移動し）、下方のビス孔９５は下方のビス１０５に対して上方に移動する（ビス１０５はビス孔９５に対して相対的に下方に移動する）。これによって、外枠取付部材９０が円滑に上述のように塑性変形するのである。
こうして、図８Ｂに示すように、前枠３００は、閉位置から開方向に移動した状態で留まる。
このため、周囲の者は、不正行為が行われたことを容易に認識することができる。
【００６８】
図８Ｂ→図８Ｃに示すように、不正行為者が、前枠３００を元の閉位置に戻そうとして閉方向に移動させようとしても、上述のようにして塑性変形した外枠取付部材９０は、完全には元の状態には戻らない。
このため、前枠３００は、上述の位置（図８Ｂ）よりは閉位置に近い位置であるとしても、やはり、図８Ｃに示すように、閉位置から開方向に移動した状態で留まる。
このため、やはり、周囲の者は、不正行為が行われたことを容易に認識することができるのである。
【００６９】
このように、このパチンコ機の施錠装置では、不正行為が行われたことが周囲の者によって容易に認識されるため、その不正行為が行われた直後に、その不正行為者を拘束することも可能となる。
こうして、ひいては、逆に、不正行為が行われることが防止されることとなるのである。
【００７０】
なお、上記のものはあくまで本発明の実施形態にすぎず、当業者の知識に基づき種々の変更を加えた態様で本発明を実施できることはもちろんである。
【００７１】
例えば、第２の施錠機構は必ずしも必要ではなく、第１の施錠機構のみが設けられていてもよい。
また、本発明は、遊技機として、パチンコ機（弾球遊技機）に限らず、スロットマシン（回胴遊技機）に適用されてもよい。
【図面の簡単な説明】
【００７２】
【図１】本発明の一実施形態のパチンコ機の施錠装置の概略を示す斜視図である。
【図２】本発明の一実施形態のパチンコ機の施錠装置のうちの前枠の側の機構を示す分解斜視図である。
【図３Ａ】本発明の一実施形態のパチンコ機の施錠装置のうちの第１の施錠機構を示す斜視図である。前枠が開位置にある状態を示す。
【図３Ｂ】本発明の一実施形態のパチンコ機の施錠装置のうちの第１の施錠機構を示す斜視図である。前枠が開位置にある状態を示す。図３Ａとは、異なった角度から見た図である。
【図４】本発明の一実施形態のパチンコ機の施錠装置のうちの第１の施錠機構を示す分解斜視図である。（ａ）と（ｂ）とは、異なった角度から見た図である。
【図５】本発明の一実施形態のパチンコ機の施錠装置のうちの第２の施錠機構を示す斜視図である。（Ａ）は係止部材が係止用位置にある状態を示し、（Ｂ）は係止部材が非係止用位置にある状態を示す。
【図６Ａ】本発明の一実施形態のパチンコ機の施錠装置のうちの第１の施錠機構の作用を示す図である。（ａ）は側面図であり、（ｂ）は断面図であり、（ｃ）は正面図であり、（ｄ）は斜視図（一部破断）である。このことは図６Ｂ〜図６Ｅにおいても同様である。
【図６Ｂ】本発明の一実施形態のパチンコ機の施錠装置のうちの第１の施錠機構の作用を示す図である。図６Ａの次の段階を示す。
【図６Ｃ】本発明の一実施形態のパチンコ機の施錠装置のうちの第１の施錠機構の作用を示す図である。図６Ｂの次の段階を示す。
【図６Ｄ】本発明の一実施形態のパチンコ機の施錠装置のうちの第１の施錠機構の作用を示す図である。図６Ｃの次の段階を示す。
【図６Ｅ】本発明の一実施形態のパチンコ機の施錠装置のうちの第１の施錠機構の作用を示す図である。図６Ｄの次の段階を示す。
【図７Ａ】本発明の一実施形態のパチンコ機の施錠装置のうちの第２の施錠機構の作用を示す図である。その全体を示す側面図である。
【図７Ｂ】本発明の一実施形態のパチンコ機の施錠装置のうちの第２の施錠機構の作用を示す図である。その全体を示す側面図である。図７Ａの次の段階を示す。
【図７Ｃ】本発明の一実施形態のパチンコ機の施錠装置のうちの第２の施錠機構の作用を示す図である。（ａ）はその全体を示す側面図であり、（ｂ）はその一部を拡大して示す正面断面図である。図７Ｂの次の段階を示す。
【図７Ｄ】本発明の一実施形態のパチンコ機の施錠装置のうちの第２の施錠機構の作用を示す図である。（ａ）はその全体を示す側面図であり、（ｂ）はその一部を拡大して示す正面断面図である。図７Ｃの次の段階を示す。
【図７Ｅ】本発明の一実施形態のパチンコ機の施錠装置のうちの第２の施錠機構の作用を示す図である。その全体を示す側面図である。図７Ｄの次の段階を示す。
【図８Ａ】本発明の実施形態１のパチンコ機の施錠装置の作用を示す図である。通常の施錠状態を示す図である。
【図８Ｂ】本発明の実施形態１のパチンコ機の施錠装置の作用を示す図である。不正行為が行われた状態を示す図である。
【図８Ｃ】本発明の実施形態１のパチンコ機の施錠装置の作用を示す図である。不正行為の後に前枠を閉位置に戻そうとされた状態を示す図である。
【符号の説明】
【００７３】
２０  シリンダ錠装置（施錠機構）
７０  円筒状部材（施錠機構）
９０  外枠取付部材
９４  ビス孔用板部（取付用部位）
９５  ビス孔（取付用部位）
９６  スリット（脆弱部）
９７  幅細部（脆弱部）
２００  外枠
３００  前枠
【図１】
2008212251.tif 000003
【図２】
2008212251.tif 000004
【図３Ａ】
2008212251.tif 000005
【図３Ｂ】
2008212251.tif 000006
【図４】
2008212251.tif 000007
【図５】
2008212251.tif 000008
【図６Ａ】
2008212251.tif 000009
【図６Ｂ】
2008212251.tif 000010
【図６Ｃ】
2008212251.tif 000011
【図６Ｄ】
2008212251.tif 000012
【図６Ｅ】
2008212251.tif 000013
【図７Ａ】
2008212251.tif 000014
【図７Ｂ】
2008212251.tif 000015
【図７Ｃ】
2008212251.tif 000016
【図７Ｄ】
2008212251.tif 000017
【図７Ｅ】
2008212251.tif 000018
【図８Ａ】
2008212251.tif 000019
【図８Ｂ】
2008212251.tif 000020
【図８Ｃ】
2008212251.tif 000021